(57)【要約】固定水平表面の端縁を越える物体又は液体の偶発的付勢移動を阻止するように構成された着脱可能な安全ガードであって、前記偶発的付勢移動がなければ、前記端縁は前記物体の移動を妨ない安全ガード。
2006500083.tif 000002
【特許請求の範囲】
【請求項１】
固定水平表面の端縁を越える物品又は液体の偶発的付勢移動をそ阻止するように構成された着脱可能な安全ガードであって、
前記偶発的付勢移動がなければ、前記端縁は前記物品の移動を妨げない安全ガード。
【請求項２】
前記面はベンチ上面、調理用レンジ上面及びテーブル上面を含む、請求項１に記載の安全ガード。
【請求項３】
前記ガードは、前記表面の端縁の少なくとも一部に沿って延在する、該端縁によって境界を画定された、外向きに面する表面と、内向きに面する表面と、を具備する実質的に直立した細長い矩形部材を備える、請求項２に記載の安全ガード。
【請求項４】
前記端縁は、前記端縁から十分近接した範囲内に付勢された時に前記物品が落下し得る前記表面の何れかの端縁である、請求項３に記載の安全ガード。
【請求項５】
前記ガードは、前記表面のスロット内に挿入されるように構成される、請求項１から請求項４までのいずれか１項に記載の安全ガード。
【請求項６】
前記スロットにはカバーストリップが設けられ、前記ストリップは前記スロット内への汚れ及び他の物質の進入を阻止するように構成される、請求項５に記載の安全ガード。
【請求項７】
前記ガードは、前記表面に取り付けられたガード保持手段内に挿入されるように構成される、請求項１から請求項４までのいずれか１項に記載の安全ガード。
【請求項８】
前記保持手段は押出成形されたチャネルの形態をしており、前記チャネルは前記表面に取り付けられるように構成される、請求項７に記載の安全ガード。
【請求項９】
押出成形された前記チャネルが、
ａ）塗布接着剤と、
ｂ）両面接着テープと、
ｃ）磁気手段と、
ｄ）吸引手段と、
ｅ）ネジ及びリベット等を含む機械的手段と、を含む取付手段によって前記表面に取り付けられる、請求項８に記載の安全ガード。
【請求項１０】
前記ガードがヒンジ付要素によって前記表面に取り付けられる、請求項４に記載の安全ガード。
【請求項１１】
前記ガード及び前記ガード保持手段は金属材料から構成される、請求項１から請求項１０までのいずれか１項に記載の安全ガード。
【請求項１２】
前記ガード及び前記ガード保持手段は非金属材料から構成される、請求項１から請求項１０までのいずれか１項に記載の安全ガード。
【請求項１３】
前記ガード及び前記ガード保持手段は金属材料及び非金属材料の組合せから構成される、請求項１から請求項１０までのいずれか１項に記載の安全ガード。
【請求項１４】
固定水平表面の端縁を越える物品又は液体の偶発的付勢移動を阻止する方法であって、
前記方法は、前記表面の端縁の少なくとも一部に沿って配置されるガード部材を準備し、前記ガード部材は前記表面より上に十分な高さだけ延在し、これにより、前記物品又は液体の移動に対する障壁を画定する段階を含む方法。
【請求項１５】
前記ガード部材が前記表面の端縁に沿って配置されるスロット内に挿入される、固定水平表面の端縁用安全ガード部材を設ける方法。
【請求項１６】
前記ガード部材が前記表面の端縁に沿って固定される押出成形されたチャネル内に保持される、固定水平表面の端縁用安全ガード部材を設ける方法。
【請求項１７】
前記ガード部材がヒンジ付要素によって前記表面の端縁に沿って取り付けられる、固定水平表面の端縁用安全ガード部材を設ける方法。
【請求項１８】
添付図面を参照して本願明細書で実質的に説明したような安全ガード。
【請求項１９】
固定水平表面の前縁を越える物品の偶発的付勢移動を阻止するガードシステムであって、
前記ガード装置は、前記端縁に対して整合させ、かつ前記表面に固定するように構成され、これにより、内部でガード部材の摺動可能な係合のために実質的に直立態様で配向されたスロットを供するレールを備え、
前記ガード部材は、長手方向及び横方向の両方向で実質的に矩形の横断面から成り、
前記ガード部材は前記レールに形成した前記スロットに対して実質的に直立態様で係合及び分離するように構成され、
前記ガード部材は全体を通じて実質的に不透明である、ガードシステム。
【請求項２０】
前記ガード部材は、前記表面に設置された時に、大人が見た時ではなく子供が見た時に前記ガード部材から遠い側にある物体の視覚化に対する視覚的障壁として働くように該ガード部材の高さが選択される、請求項１９に記載のガード部材。
【請求項２１】
その端縁に対する表面から物品の偶発的付勢移動を最小化する方法であって、
前記方法は、２つの構成要素部品から成るキットとして、請求項１９または請求項２０のいずれか１項に記載の前記ガード部材を設ける段階を備える方法。
【請求項２２】
２つの前記構成要素部品が内部にスロットが形成されたレールと、前記スロット内に直立した態様で収容するために実質的に不透明なガード部材と、を備える、請求項２１に記載の方法。
【請求項２３】
２つ及び２つのみの構成要素から成るガード装置。
【請求項２４】
２つの前記構成要素は、ガード部材と、前記ガード部材を内部に直立した態様で収容するスロットが形成されたレールと、を備える、請求項２３に記載のガード装置。
【発明の詳細な説明】
【技術分野】
【０００１】
本発明は、台所の上面、作業又は実験室等のような作業面と関連する安全装置に関し、より詳細には、物体の偶発的移動又はこれらの作業表面からの流体のこぼれを阻止する手段に関する。
【背景技術】
【０００２】
多くの人にとって、材料又は流体の偶発的なこぼれ、及びベンチ、調理台上面及びテーブルからの物体の偶発的移動を阻止する適切な装置の欠落は、深刻な損傷、およびまたは出費、そして極端な場合には事故にさえ帰着する。
【０００３】
ベンチ及び台所のテーブルからの熱い又は苛性流体（例えば、熱い茶又はコーヒ）の偶発的なこぼれは、西欧文明における小さな子供の及び損傷の主な原因の１つである。老人及び虚弱者もこうした死及び損傷を被る。
【０００４】
物体の偶発的移動と、作業ベンチ及びテーブルからの流体のこぼれとは、財政的に及び雇用者に対する傷害の両方で産業に衝撃を与え得る。学校の科学ベンチは、物体が偶発的に移動されるか又は流体のこぼれがある場合の潜在的危険性のある別の領域である。熱い及び苛性物質は再び教室における学齢児童に対する主な傷害の原因である。
【発明の開示】
【発明が解決しようとする課題】
【０００５】
本発明の目的は、こうした出来事を防ぐ支援を供することである。
【課題を解決するための手段】
【０００６】
従って、本発明の一つの広義な態様では、固定水平表面の端縁を越える物体又は液体の偶発的付勢移動を阻止するように構成された着脱可能な安全ガードが設けられる。前記偶発的付勢移動がなければ、前記端縁は前記物品の移動を妨げない。
【０００７】
好ましくは、前記表面はベンチ上部、調理台上部又はテーブル上部を含む。
【０００８】
好ましくは、前記ガードは、前記表面の端縁の少なくとも一部に沿って延在する端縁によって境界が画定された外向きに面する表面と、内向きに面する表面と、を具備する実質的に直立した細長い矩形部材を備える。
【０００９】
好ましくは、前記端縁は前記表面の任意の端縁であり、前記端縁に十分近接した範囲内に付勢された場合に該端縁から前記物品が落下し得る。
【００１０】
好ましくは、前記ガードは、前記表面のスロット内に挿入されるように構成される。
【００１１】
好ましくは、前記スロットにはカバーストリップが設けられる。前記ストリップは前記スロット内への汚れ及び他の物質の進入を防ぐように構成される。
【００１２】
好ましくは、前記ガードは、前記表面に取り付けられたガード保持手段内に挿入されるように構成される。
【００１３】
好ましくは、前記保持手段は押出成形チャネルの形態をしており、前記チャネルは前記表面に取り付けられるように構成される。
【００１４】
好ましくは、前記押出成形チャネルは、
ａ）塗布接着剤と、
ｂ）両面接着テープと、
ｃ）磁気手段と、
ｄ）吸引手段と、
ｅ）ネジ及びリベット等を含む機械的手段と、
の１つ以上を含む取付手段によって前記表面に取り付けられる。
【００１５】
好ましくは、前記ガードはヒンジ付要素によって前記表面に取り付けられる。
【００１６】
好ましくは、前記ガード及び前記ガード保持手段は金属材料から構成される。
【００１７】
好ましくは、前記ガード及び前記ガード保持手段は非金属材料から構成される。
【００１８】
好ましくは、前記ガード及び前記ガード保持手段は金属材料及び非金属材料の組合せから構成される。
【００１９】
従って、本発明の別の広義な態様では、固定水平表面の端縁を越える物品又は液体の偶発的付勢移動を防止する方法が提供される。前記方法は、前記表面の前記端縁の少なくとも一部に沿って配置されたガード部材を設けることを含む。前記ガード部材は前記表面より上に十分な高さだけ延在し、これにより前記物品又は液体の移動に対する障壁を画定する。
【００２０】
従って、本発明のまた別の広義な態様では、前記ガード部材が前記表面の端縁に沿って配置されたスロット内に挿入される固定水平表面用安全ガード部材を設ける方法が提供される。
【００２１】
従って、本発明のまた別の広義な態様では、前記ガード部材が前記表面の端縁に沿って固定された押出成形チャネルに保持される、固定水平表面の端縁用安全ガード部材を設ける方法が提供される。
【００２２】
従って、本発明のまた別の広義な態様では、前記ガード部材がヒンジ付要素によって前記表面の端縁に沿って取り付けられる固定水平表面の端縁用安全ガード部材を設ける方法が提供される。
【００２３】
ここで、本発明の実施形態を添付図面を参照して説明する。
【発明を実施するための最良の形態】
【００２４】
本発明の実施形態は作業表面の外周に適切なガード要素の付加を与える。これらの作業表面の端縁は、例えば、はねよけ板(splashbacks)又は当接壁によるように、適切なガード要素の付加がなければ、保護されない。
【００２５】
図１及び図２に関する本発明の第１の好ましい実施形態では、保持要素２（又は４）に位置し、直立態様で延在するガード要素１が設けられる。ガード要素１は、図６に最も良く示し得るように、作業面の露出端縁の少なくとも一部に沿って延在する適切な高さ及び厚さの細長い堅固なストリップの形態をしている。
【００２６】
図５から理解し得るように、この第１の実施形態では、ガード要素１は、押出成形チャネル断面の形態をした保持要素２（又は４）によってベンチ上面６の作業面に固定される。保持要素２（又は４）は、図６に示すような様々な手段、例えば、ネジ９、リベット１０によって、あるいは両面自己接着ストリップ８によって、ベンチ上面６に固定し得る。保持要素２（又は４）をベンチ上面６の表面に保持する更なる方法は、適切な接着剤、あるいは磁気ストリップのような非機械的手段又は吸引手段で結合することも含み得る。
【００２７】
ガード要素１は永久的に又は開放可能に又は半永久的に（例えば、摩擦嵌合によって又はモールド成形錠止嵌合によって）保持要素２（又は４）に固定し得るか、あるいはガード機能が必要でない時に該ガード要素の取外しを可能にするように摩擦嵌合として適所に保持し得る。ガード要素１には、随意には、フック（図示せず）から懸架することによって幾つかの好都合な位置に該フックの収容を可能にするように穴３を形成し得る。
【００２８】
図３に示すような本発明の好ましい実施形態では、ガード要素１は、ベンチ上面６の端縁に沿って位置するスロット５内に取り付けられる。スロットは、ベンチ上面の表面内に機械加工することによって、あるいはベンチ上面の端縁に取り付けられた端縁ストリップの一部として、形成し得る。
【００２９】
この実施形態でも、ガード要素１は永久的に又は半永久的に（例えば、摩擦嵌合によって又はモールド成形錠止嵌合によって）スロット５内に固定し得る、あるいは所望により、取外し得るように摩擦嵌合としてスロット内に設置し得る。この後者の場合には、スロット５には、該スロット５内への材料又は液体の進入を阻止するようにカバーストリップ７（図４に示す）を設け得る。
【００３０】
本発明の更なる好ましい実施形態では、スロットは、ガード要素が取外される時に、スロットを越えた位置内に付勢されるばね装架式カバーストリップによって覆い得る。
【００３１】
本発明の更に別の実施形態では、ガード要素１はヒンジによってベンチ上面６に作動するようにも取り付け得る。ヒンジはベンチ上面の作業表面に永久的に取り付け得るか、あるいは着脱自在に取り付け得る。
【００３２】
記載した全ての実施形態では、ガード要素は、板材の積層体、圧搾繊維又はプラスチック又はこれらの組合せ、及び鋼又はアルミニウムのような金属を含む適切な材料の範囲の何れかから形成し得る。非金属材料は透明又は不透明とし得る。
【００３３】
使用に際して、ガード要素は、端縁を越えて流れる流体を阻止し、あるいは物体が偶発的にベンチ上面の端縁を越えて押圧されるのを阻止するように共に働き、また、小さな子供が端縁を越えて物体を引っ張るまでに到達することに対する障害物として働く。特に、台所ベンチ上面の表面に位置する調理台上面の正面に沿って配置されたガード要素は、この極めて危険なことの発生の可能性を最小化するように働く。
【００３４】
ガード要素がスロットから取外し可能な本発明の実施形態に対しては、異なるガード要素には、異なる作業及び安全条件に適合する高さ範囲を設け得る。従って、例えば、比較的背の高い容器が使用される実験室状況では比較的背の高いガードを保持要素内に挿入し得る一方で、唯一の関心事が液体のこぼれものみである状況では比較的背の低いガードを適切とし得る。
【００３５】
図７を参照すると、上述した実施形態の何れかによるベンチガード１０は、ストーブすなわちベンチ表面１１上に位置づけられて図示され、かつ、ベンチすなわち台所上面１１に隣接する床１２上の子供の頭部高さにある子供の視線から視た場合に、ガード１０は、子供が台所上面すなわちベンチ上面１１上にある障壁を越えて物品を見ることに対する視覚的障壁として働く。最終的な結果ととして、子供はガードの他側にある物品を見ることができず、これにより、子供はこれらの物品に惹きつけられるようなることはあり得ない。逆に、大人の視線は遮られないので、大人は台所又は類似の環境でストーブすなわちベンチ上面１１に位置するソースパン１３のような物品を上手く操作し得る。
【００３６】
図８、図９及び図１０を参照すると、ガード２０、３０、及び４０を、それぞれ、備えるガードの３つの実施形態が斜視図で示されている。各ガードは高さＨ１、Ｈ２、及びＨ３を備えるベンチ上部の表面より上に異なる高さＨを有して配置される。留意すべきは、ガード材料それ自体は透明物質から作られ、子供と大人の間のように図７に示す結果を達成するように、使用者が種々の高さＨ１、Ｈ２、Ｈ３から選択することができることである。
【００３７】
図８を参照すると、ガード２０は、直立した方向に摺動可能に実質的に中実且つ隣接するガード部材２３を内部且つスロット２２の長さに亘って収容する、内部に直立して整合されたスロット２２が形成されたガード支持レール２１を備える。
【００３８】
直立方向の矢印によって示すように、スロット２２からのガード部材２３の分離は、レール２１に対して上向き方向に直角な運動をすることによって達成される。逆に、係合は逆方向に行われる。ベンチ上面１１と比較したスロット２２の形状及び相対的角度は、実質的に直角な係合及び分離が可能であるようなものである。
【００３９】
この配置構成は、子供がしそうであると予想し得る長手方向に直角な横方向運動によってガード部材２３が分離し得ないことを保証する。これに反して、清掃等のために大人が直画方向に係合させることは比較的容易である。
【００４０】
本発明の幾つかの実施形態と変形のみを記述した上述の記載は、当業者には自明であるが、本発明の範囲及び精神から逸脱せずにこれをなし得る。
【図面の簡単な説明】
【００４１】
【図１】本発明の実施形態によるベンチ頂部安全機構の斜視図である。
【図２】図１の実施形態の別の保持手段の斜視図である。
【図３】本発明の第２実施形態によるベンチ頂部安全機構の斜視図である。
【図４】図１、図２又は図３のいずれか１つの装置と共に使用する構成要素の斜視図である。
【図５】図１の実施形態の構成要素の取付手段の斜視図である。
【図６】使用中の図１の実施形態の斜視図である。
【図７】本発明の実施形態を用いた場合と用いない場合の、大人の目線と比較した子供の目線の視覚的整合を示す斜視図である。
【図８】本発明の更なる実施形態によるベンチガードの斜視図である。
【図９】本発明の更なる実施形態によるベンチガードを示す図である。
【図１０】本発明の更に別の実施形態によるベンチガードを示す図である。
【符号の説明】
【００４２】
１  ガード要素
２、４持要素
５  スロット
６  ベンチ上面
８  カバーストリップ
９  ネジ
１０  リベット
１１  ベンチ上面
１２  床
１３  ソースパン
２０、３０、４０  ガード
２１  ベンチ上面
２２  スロット
２３  ガード部材
Ｈ１  ガード２０の高さ
Ｈ２  ガード３０の高さ
Ｈ３  ガード４０の高さ
【図１】
2006500083.tif 000003
【図２】
2006500083.tif 000004
【図３】
2006500083.tif 000005
【図４】
2006500083.tif 000006
【図５】
2006500083.tif 000007
2006500083.tif 000008
【図７】
2006500083.tif 000009
【図８】
2006500083.tif 000010
【図９】
2006500083.tif 000011
【図１０】
2006500083.tif 000012
【国際調査報告】
2006500083.tif 000013
2006500083.tif 000014
2006500083.tif 000015
2006500083.tif 000016